(57)【要約】      （修正有）【課題】キー部の大きさを大きくできるキーシート及びこれを備える電子機器を提供する。【解決手段】キーシート２０は、押圧されて変位する、複数のキー部３０と、キー部３０を支持するシート基部６０と、シート基部６０に重なり、シート基部６０よりも剛性が大きいベース板４０と、を備える。キー部３０の接点部３４とベース板４０と座屈部５０とシート基部６０は、一体的に成形される。キー部３０の接点部３４と座屈部５０とシート基部６０は、絶縁性の弾性材料から構成され、ベース板４０は、接点部３４と座屈部５０とシート基部６０を構成する弾性材料よりも、曲げ剛性が大きい材料から構成される。キーシート２０のキー部３０は、押圧されていない状態において、第１筐体２の開口部３から突出しており、押圧されて、下方へ変位する。また、キー部３０は、押圧が除かれた場合に、第１筐体２の開口部３から突出する位置に変位する。【選択図】図２
2019121594.tif 000002
【特許請求の範囲】
【請求項１】
押圧されて変位する、複数のキー部と、
前記キー部を支持するシート基部と、
前記シート基部に重なり、前記シート基部よりも剛性が大きいベース板と、を備える、
キーシート。
【請求項２】
前記キー部は、当該キー部の一方の端部に、前記シート基部との間に介在し、前記ベース板に重なる位置に設けられた支持部を有し、
前記支持部は、前記キー部が変位すると、当該支持部の少なくとも一部が、前記シート基部のうちの前記ベース板に重なる位置に当接する、
請求項１に記載のキーシート。
【請求項３】
前記シート基部は、前記キー部とは反対側の面に、前記キー部が変位する空間を互いに接続する溝部を有し、
前記シート基部の前記溝部が設けられた部分において、前記ベース板の表面が前記シート基部により覆われている、
請求項１又は２に記載のキーシート。
【請求項４】
前記キーシートは、電子機器の基板の上に配置されるキーシートであって、
前記ベース板は、少なくとも表面に、導電性を有し、
前記シート基部は、前記電子機器の基板に対向する面に、前記ベース板が露出する開口部を有し、
前記開口部から露出した前記ベース板と前記電子機器の基板の電極が、電気的に接続される、
請求項１から３のいずれか１項に記載のキーシート。
【請求項５】
前記ベース板は、凸部を有し、
前記キーシートは、前記凸部が前記シート基部により覆われたスペーサ部を有する、
請求項１から４のいずれか１項に記載のキーシート。
【請求項６】
前記ベース板は、前記キー部側の面の少なくとも前記キー部と重ならない部分に、表面の光沢を抑える構造を有する、
請求項１から５のいずれか１項に記載のキーシート。
【請求項７】
前記キー部は、当該キー部の他方の端部が前記ベース板と重なる位置に、配置されている、
請求項１から６のいずれか１項に記載のキーシート。
【請求項８】
前記ベース板は、前記キー部側の面の前記キー部の前記他方の端部と重なる部分に、前記キー部の前記他方の端部との衝突音を抑える構造を有する、
請求項７に記載のキーシート。
【請求項９】
前記ベース板は、前記キー部の前記他方の端部が当接する部分に、前記キー部の前記他方の端部との衝突音を抑える構造を有する、
請求項７に記載のキーシート。
【請求項１０】
請求項１から９のいずれか１項に記載のキーシートを備える、
電子機器。
【請求項１１】
請求項５に記載のキーシートを含む第１筐体と、
表示部を含む第２筐体と、
前記第１筐体と前記第２筐体とを連結するヒンジ部と、を備え、
前記第１筐体と前記第２筐体が重なった状態において、前記スペーサ部は、前記キー部と前記第２筐体との間に隙間を設ける、
電子機器。
【発明の詳細な説明】
【技術分野】
【０００１】
本発明は、キーシート及びこれを備える電子機器に関する。
【背景技術】
【０００２】
携帯電話、電子辞書等の電子機器への入力部として、キーシートが多く用いられている。例えば、特許文献１は、携帯電話等への入力部として、テンキーと、シリコンゴム等の軟質材からなるラバーシートとを備えたキーシートを開示している。
【先行技術文献】
【特許文献】
【０００３】
【特許文献１】特開２００２−２８０９２０号公報
【発明の概要】
【発明が解決しようとする課題】
【０００４】
キーシートには、キーの視認性と操作性を向上させるため、キーの大きさを大きくすることが望まれている。特許文献１のキーシートでは、ラバーシートが軟質材から構成されているので、安定したキー入力を実現するために、上ボディー（筐体）に、テンキーのそれぞれを囲む枠を設ける必要がある。これにより、テンキーを大きくすることが困難である。
【０００５】
本発明は、上記の事情に鑑みてなされたものであり、キー部の大きさを大きくできるキーシート及びこれを備える電子機器を提供することを目的とする。
【課題を解決するための手段】
【０００６】
上記の目的を達成するため、本発明の第１の観点に係るキーシートは、
押圧されて変位する、複数のキー部と、
前記キー部を支持するシート基部と、
前記シート基部に重なり、前記シート基部よりも剛性が大きいベース板と、を備える。
【図面の簡単な説明】
【０００７】
【図１】本発明の実施形態１に係る電子機器を示す模式図である。
【図２】図１に示す電子機器をＡ−Ａ線で矢視した断面図である。
【図３】図１に示す電子機器をＢ−Ｂ線で矢視した断面図である。
【図４】本発明の実施形態１に係るキーシートの正面図である。
【図５】本発明の実施形態１に係るベース板の正面図である。
【図６】本発明の実施形態１に係る、キートップを除いたキーシートの正面を示す模式図である。
【図７】本発明の実施形態１に係るキーシートの背面図である。
【図８】図７に示すキーシートをＣ−Ｃ線で矢視した断面図である。
【図９】本発明の実施形態１に係るキーシートの製造方法を示すフローチャートである。
【図１０】本発明の実施形態２に係る電子機器が折り畳まれた状態を示す模式図である。
【図１１】本発明の実施形態２に係るベース板の斜視図である。
【図１２】本発明の実施形態２に係るキーシートの斜視図である。
【図１３】本発明の実施形態３に係るキー部を示す断面図である。
【図１４】本発明の実施形態３に係る支持部を示す模式図である。
【図１５】本発明の実施形態３に係る支持部がシート基部に当接したキー部を示す断面図である。
【図１６】本発明の実施形態３に係るキー部が変位した状態を示す断面図である。
【図１７】本発明の実施形態４に係るキーシートの断面図である。
【図１８】本発明の実施形態４に係るキー部が変位した状態を示す断面図である。
【図１９】本発明の変形例に係るキーシートの断面図である。
【発明を実施するための形態】
【０００８】
（実施形態１）
図面を参照して、本発明の実施形態に係る電子機器１００を説明する。
【０００９】
図１に示すように、電子機器１００は、第１筐体２と、第２筐体４と、ヒンジ部６とを備える。第１筐体２と第２筐体４はヒンジ部６を軸として回動し、電子機器１００は第１筐体２と第２筐体４が重なった状態に折り畳まれる。電子機器１００が折り畳まれた状態において、第２筐体４は、後述するキーシート２０に取り付けられ、第１筐体２から突出する凸部材９によって、支持される。
電子機器１００は、例えば電子辞書である。
【００１０】
第１筐体２には、図２、３に示すように、基板１０と、基板１０の上に配置されたキーシート２０とが配置される。第１筐体２は、ＡＢＳ樹脂（アクリロニトリル−ブタジエン−スチレン樹脂）、アクリル樹脂、ポリカーボネート等の絶縁性の樹脂から作製される。第１筐体２を構成する樹脂は、後述するキーシート２０の接点部３４と座屈部５０とシート基部６０を構成する弾性材料よりも、軸剛性が大きい。
【００１１】
基板１０は、図示しない、配線、接点、電極等を有する回路基板である。後述するキーシート２０のキー部３０が、基板１０の接点に接触することにより、基板１０の配線が導通する。これにより、電子機器１００への入力が実行される。
【００１２】
キーシート２０は、電子機器１００のユーザによる入力を受ける入力部である。キーシート２０には、第１筐体２から突出する凸部材９が取り付けられる。
【００１３】
凸部材９は、ＡＢＳ樹脂、アクリル樹脂、ポリカーボネート等の樹脂から、キーシート２０とは別に作製される。凸部材９は、図４に示すように、キーシート２０のヒンジ部６側とは反対側の端部に取り付けられる。凸部材９は、電子機器１００が折り畳まれた場合に第２筐体４を支持し、第２筐体４とキーシート２０のキー部３０との間に隙間を設ける。これにより、電子機器１００の誤動作を防ぐことができる。
【００１４】
キーシート２０は、図２、３に示すように、複数のキー部３０と、ベース板４０と、座屈部５０と、シート基部６０とを有する。
【００１５】
キー部３０は、ユーザによって押圧されて、変位する。本実施形態では、図１、２に示すように、配列された複数のキー部３０が第１筐体２の１つの開口部３から突出している。また、電子機器１００が折り畳まれ、第１筐体２と第２筐体４が重なった状態において、第１筐体２の開口部３から突出したキー部３０が、第２筐体４に対向する。
【００１６】
ベース板４０は、キーシート２０を平面視した場合に、キー部３０の少なくとも一部を囲む。また、ベース板４０はシート基部６０に覆われる。座屈部５０は、キー部３０を弾性的に支持し、キー部３０が押圧された場合に座屈する。シート基部６０は、ベース板４０を覆い、座屈部５０を介してキー部３０を支持する。
キーシート２０の具体的な構成については、後述する。
【００１７】
第２筐体４は、図１に示すように、表示部８が配置される。表示部８は、例えば液晶ディスプレイであり、ユーザからの入力、検索結果等を表示する。第２筐体４も、ＡＢＳ樹脂、アクリル樹脂、ポリカーボネート等の絶縁性の樹脂から作製される。
【００１８】
本実施形態では、第１筐体２と第２筐体４は、絶縁性の樹脂から作製される。
電子機器１００の筐体が金属により構成されている場合、金属のみで、外観上の要請に応じた自由度の高い配色を実現することは困難である。この場合、金属により構成された筐体の表面に、外観上の要請に応じた印刷層を形成する必要がある。これに対し、本実施形態では、第１筐体２と第２筐体４がＡＢＳ樹脂、アクリル樹脂、ポリカーボネート等の樹脂により構成されているので、各表面に印刷層を形成せずとも、第１筐体２と第２筐体４を、外観上の要請に応じた色に着色することが容易であるという利点がある。
【００１９】
ヒンジ部６は、第１筐体２と第２筐体４とを回動可能に連結する。
【００２０】
次に、キーシート２０の具体的な構成について、説明する。
キーシート２０は、複数のキー部３０と、ベース板４０と、座屈部５０と、シート基部６０とを有する。キー部３０は、図２、３に示すように、キートップ３２と接点部３４とを有する。
【００２１】
キー部３０の接点部３４とベース板４０と座屈部５０とシート基部６０は、一体的に成形される。キー部３０の接点部３４と座屈部５０とシート基部６０は、シリコンゴム、エラストマー等の絶縁性の弾性材料から構成され、ベース板４０は、接点部３４と座屈部５０とシート基部６０を構成する弾性材料よりも、曲げ剛性が大きい材料、例えば、ステンレス、アルミニウム合金等の金属、ポリカーボネート等の樹脂から構成される。ベース板４０は、導電性であっても、絶縁性であってもよい。
【００２２】
キーシート２０のキー部３０は、押圧されていない状態において、第１筐体２の開口部３から突出しており、押圧されて、図２における下方（基板１０のキーシート２０との対向面の法線方向に沿ってキーシート２０側から基板１０側への向き）へ変位する。また、キー部３０は、押圧が除かれた場合に、第１筐体２の開口部３から突出する位置に変位する。
【００２３】
キー部３０のキートップ３２は、ユーザによって押圧される部位であり、キー部３０の接点部３４の上に設けられる。キートップ３２の押圧される面には、電子機器１００への入力に対応する文字、記号、機能を表す文字等が印刷される。
キートップ３２は、ＡＢＳ樹脂、アクリル樹脂、ポリカーボネート等から構成される。
【００２４】
キー部３０の接点部３４は、座屈部５０とシート基部６０とに支持される。また、図示しない導電性膜が、接点部３４のキー部３０が変位した場合に基板１０に対向する面３４ａに、設けられる。接点部３４の面３４ａに設けられた導電性膜は、キー部３０が変位した場合に、基板１０の接点に接触する。なお、接点部３４の面３４ａには、導電性膜に代えて、導電性を付与する表面処理が施されてもよい。また、第１筐体２の中央部に３列に配列されたキー部３０では、接点部３４の面３４ａは、図２に示すように、ヒンジ部６側に向かって基板１０に近づくように、傾斜している。他のキー部３０では、接点部３４の面３４ａは、基板１０に対して平行になっている。
【００２５】
キーシート２０のベース板４０は、図５に示すように、配列されたキー部３０の位置に対応する位置に開口部４２を有する平板である。また、ベース板４０は、図６に示すように、キーシート２０を平面視した場合に、キー部３０の接点部３４を囲む。
【００２６】
キーシート２０の座屈部５０は、図２、３に示すように、キー部３０の接点部３４からスカート状に延びて接点部３４とシート基部６０とを接続する。また、座屈部５０は、接点部３４をシート基部６０に対して第１筐体２の開口部３から突出する方向に、弾性的に支持する。座屈部５０は、キー部３０が押圧された場合に座屈し、キー部３０から押圧が除かれた場合に復元する。
【００２７】
キーシート２０のシート基部６０は、基板１０の上に配置され、座屈部５０を介してキー部３０を支持する。
また、シート基部６０は、キー部３０の接点部３４を囲むベース板４０を覆う。ここで、ベース板４０を覆うとは、少なくとも、ベース板４０の基板１０に対向する面４０ａ（ベース板４０の背面）の一部と、ベース板４０の面４０ａとは反対側の面４０ｂ（ベース板４０の正面）の一部とを覆うことを意味する。換言すると、ベース板４０は、シート基部６０に重なっている。また、シート基部６０とベース板４０は接している。
【００２８】
ここで、シート基部６０は、ベース板４０の面４０ｂのうち、少なくとも、第１筐体２により覆われていない部分を覆うように形成されている。これにより、電子機器１００を外部から見たときにベース板４０が見えないようにし、外観上その他の要請に応じて、ベース板４０の素材の色が見えないようにすることができる。さらに、キーシート２０のシート基部６０のうち、少なくとも、キートップ３２の隙間から見える部分に、外観上の要請に応じた色に着色された弾性材料を配置することによって、ベース板４０とは異なる色を、電子機器１００の外部から見える部分に配色することができるので、外観上の要請に対し、より一層自由度高く対応することができる。
【００２９】
また、ベース板４０の面４０ｂのうち、第１筐体２により覆われていない部分は、ユーザの指などが接触して静電気が生じたり、電子機器１００の外部から粉塵が舞い込んだりする可能性が高い部分である。そこで、ベース板４０の面４０ｂのうち、少なくとも、第１筐体２により覆われていない部分を覆うように、シート基部６０を形成することによって、接触によってベース板４０を介して第１筐体２内部の基板１０上の電子部品へ静電気が伝導したり、粉塵によってベース板４０が汚染または腐食したりすることを、抑制することができる。つまり、シート基部６０は、電子機器１００の電子部品やベース板４０を保護する部材としても機能する。
【００３０】
電子機器１００の第１筐体２と第２筐体４が絶縁性の材料により形成されているので、ベース板４０の面４０ｂのうち、少なくとも、第１筐体２により覆われていない部分を覆うように、シート基部６０を形成することによって、電子機器１００の外部に露出する部分全体の絶縁性を保持することができる。したがって、ベース板４０の面４０ｂのうち、第１筐体２により覆われていない部分だけではなく、第１筐体２および第２筐体４へ接触によって、第１筐体２内部の基板１０上の電子部品へ静電気が伝導することを抑制できる。
【００３１】
さらに、キーシート２０がベース板４０を含まず、シリコンゴム、エラストマー等の弾性材料のみから構成され、かつ、第１筐体２にキー部３０を個々に囲む枠を設けなかった場合には、ユーザがキー部３０をつまんで上方へ持ち上げると、キーシート２０が持ち上がったり、外れたりするおそれがある。このため、キーシート２０がベース板４０を含まず、シリコンゴム、エラストマー等の弾性材料のみから構成される場合、第１筐体２にキー部３０を個々に囲む枠を設け、これらの枠によって、キーシート２０が持ち上がったり、外れたりすることを防ぐ必要があるので、キーシート２０を平面視した状態でのキー部３０の大きさを大きくするのにも、限界がある。
【００３２】
本実施形態では、基板１０の上に配置され、キー部３０を支持するシート基部６０が、シート基部６０より大きな曲げ剛性を有するベース板４０を覆うので、キーシート２０をシリコンゴム、エラストマー等の弾性材料のみから構成する場合に比べて、キーシート２０の曲げ剛性が大きくなる。これにより、第１筐体２にキー部３０を個々に囲む枠を設けずとも、上述のようにキーシート２０が持ち上がったり、外れたりするおそれがないので、キーシート２０のキー部３０を個々に囲む枠を除くことができ、ひいては、キーシート２０を平面視した状態でのキー部３０の大きさを大きくできる。また、キー部３０の大きさを大きくすることで、キーシート２０への安定した入力が可能となる。
【００３３】
また、シート基部６０は、図７に示すように、基板１０に対向する面６０ａに２つの開口部６２と複数の溝部６４とを有する。
シート基部６０の開口部６２は、ベース板４０（ベース板４０の面４０ａ）を露出する。開口部６２から露出したベース板４０は、基板１０の接地電極に電気的に接続される。これにより、キーシート２０において生じる静電気を接地して、電子機器１００の信頼性を向上できる。
【００３４】
シート基部６０の溝部６４は、図７、８に示すように、キー部３０が変位する空間６６を互いに接続し、キーシート２０の端部まで延びる。溝部６４が空間６６を互いに接続しているので、キー部３０が変位した場合に、変位したキー部３０に対応する空間６６の空気が溝部６４を介して移動することにより、キーシート２０への安定した入力が可能となる。また、シート基部６０の溝部６４に対応する部分において、ベース板４０の表面が弾性材料により覆われるように溝部６４の深さが設定されているので、ベース板４０の表面がその部分において露出されている場合とは異なり、ベース板４０と基板１０が接触して互いに導通したり、基板１０上の回路がショートしたりすることを抑制することができる。
【００３５】
なお、シート基部６０の面６０ａには、図示しない複数の凹部が存在する。シート基部６０の面６０ａの凹部は、ベース板４０、シート基部６０等を一体的に成形する場合に、ベース板４０を支持するサポートピンが配置された位置に形成される。また、シート基部６０には、図７に示すように、ベース板４０の貫通孔４６、４７に対応した複数の貫通孔６８、６９が設けられる。シート基部６０の貫通孔６８、６９は、電子機器１００を組み立てる場合に、ねじ穴として利用される。
【００３６】
最後に、キーシート２０の製造方法を説明する。図９は、キーシート２０の製造方法を示すフローチャートである。
【００３７】
ステップＳ１１においては、まず、プレス加工により作製されたベース板４０を準備する。次に、ベース板４０を金型に設置する。ベース板４０は、下金型の複数のサポートピンによって支持される。
【００３８】
ステップＳ１２においては、金型に、例えば未硬化状態のシリコンゴム材料を供給する。これにより、未硬化状態のシリコンゴム材料が、ベース板４０と金型との隙間に浸透していく。下金型のうち、複数のサポートピン、および、シート基部６０の２つの開口部６２に対応する各部分と、ベース板４０との全体が完全に密着しておらず、それらの間に僅かな隙間が存在している場合には、未硬化状態のシリコンゴム材料がそれらの隙間へも浸透していく。
【００３９】
ステップＳ１３においては、上金型と下金型によって、未硬化状態のシリコンゴム材料を圧縮成形する。これにより、ベース板４０と接点部３４と座屈部５０とシート基部６０が一体に成形される。
【００４０】
ステップＳ１４においては、未硬化状態のシリコンゴム材料を硬化させる。シリコンゴム材料を硬化させた後、接点部３４と座屈部５０とシート基部６０が形成されたベース板４０を金型から取り出す。
【００４１】
ステップＳ１５においては、シート基部６０の開口部６２においてベース板４０に付着したシリコンゴムを除去し、ベース板４０を露出させる。これにより、ベース板４０と基板１０とを、容易に、確実に、電気的に接続できる。ここで、開口部６２から露出するベース板４０に付着したシリコンゴムは、ベース板４０と金型の開口部６２を形成する面との間に入り込んだ、未硬化状態のシリコンゴム材料が硬化したものである。なお、複数のサポートピンに対応する部分においてベース板４０に付着したシリコンゴムを除去する必要はない。
【００４２】
ステップＳ１６においては、接点部３４の面３４ａに導電性膜を形成し、接点部３４の面３４ａとは反対側の面にキートップ３２を取り付ける。
以上の工程によって、キーシート２０を得ることができる。
【００４３】
以上の工程によって製造されたキーシート２０は、ベース板４０の面４０ａのうち、複数のサポートピン、および、シート基部６０の２つの開口部６２と、複数の溝部６４とに対応する各部分を除く第１部分全体と、ベース板４０の面４０ｂ全体とが、略同じ厚さのシリコンゴムにより覆われている。複数の溝部６４に対応する第２部分は、第１部分よりも厚みの薄いシリコンゴムにより覆われている。複数のサポートピンに対応する第３部分は、シリコンゴムの薄い残渣層によって部分的に覆われている場合がある。ベース板４０の面４０ａのうち、シート基部６０の２つの開口部６２に対応する第４部分は、前述の除去工程によって、その全体が露出されている。なお、ベース板４０の開口部４２の内面全体も、所望の厚みのシリコンゴムにより覆われている。
【００４４】
以上のように、キーシート２０では、シート基部６０がより大きな曲げ剛性を有するベース板４０を覆うので、キーシート２０の曲げ剛性が大きくなり、ひいては、第１筐体２にキー部３０を個々に囲む枠を除くことができ、キー部３０の大きさを大きくできる。シート基部６０がベース板４０を覆うので、キートップ３２がベース板４０に接触して生じる異音を防ぐことができる。
また、キーシート２０は、開口部６２から露出したベース板４０を基板１０の接地電極に、電気的に接続することにより、静電気を接地して、電子機器１００の信頼性を向上できる。さらに、キーシート２０は、シート基部６０の面６０ａに、キー部３０が変位する空間６６を互いに接続する溝部６４を有するので、溝部６４を介して、変位したキー部３０に対応する空間６６の空気を移動させ、ユーザからの入力を安定して受けることができる。
【００４５】
（実施形態２）
実施形態１においては、キーシート２０に取り付けられた凸部材９が、キー部３０と第２筐体４との間に隙間を設けたが、キーシート２０の一部が、キー部３０と第２筐体４との間に隙間を設けてもよい。
【００４６】
本実施形態における電子機器１００は、実施形態１の電子機器１００と同様に、第１筐体２と、第２筐体４と、ヒンジ部６とを備える。本実施形態では、図１０に示すように、後述するキーシート２０のスペーサ部７０が、第２筐体４を支持し、第２筐体４とキーシート２０のキー部３０との間に隙間を設ける。
【００４７】
本実施形態において、第１筐体２と第２筐体４とヒンジ部６の構成と、キーシート２０のキー部３０と座屈部５０の構成は、実施形態１における構成と同様である。ここでは、キーシート２０のベース板４０とシート基部６０とスペーサ部７０について説明する。
【００４８】
本実施形態におけるキーシート２０のベース板４０は、実施形態１のベース板４０と同様に、配列されたキー部３０の位置に対応する位置に開口部４２を有し、キーシート２０を平面視した場合に、キー部３０の接点部３４を囲む。
【００４９】
さらに、本実施形態におけるベース板４０は、図１１に示すように、基板１０に対向する面４０ａとは反対側の面４０ｂに第１の凸部４４を有する。第１の凸部４４は、例えば、ベース板４０のヒンジ部６側とは反対側の端部に、ベース板４０を折り曲げて形成される。また、本実施形態におけるベース板４０は、接点部３４と座屈部５０とシート基部６０を構成する弾性材料よりも、曲げ剛性および軸剛性がともに大きい材料、例えば、ステンレス、アルミニウム合金等の金属、ポリカーボネート等の樹脂から構成される。
【００５０】
本実施形態におけるキーシート２０のシート基部６０は、実施形態１のシート基部６０と同様に、ベース板４０を覆い、キー部３０を支持する。さらに、シート基部６０は、ベース板４０の第１の凸部４４を覆う。これにより、図１２に示すように、ベース板４０の第１の凸部４４がシート基部６０により覆われたスペーサ部７０が、キーシート２０の基板１０に対向する面とは反対側の面２０ｂ（シート基部６０の面６０ｂ）に、形成される。
【００５１】
さらに、本実施形態のキーシート２０では、キーシート２０を平面視して、スペーサ部７０が設けられた位置の基板１０に対向する面に、第２の凸部７２が形成されている。電子機器１００が組み上げられた状態において、第２の凸部７２の下面（図２において第１筐体２の下側の壁（底壁）との対向面）が、第１筐体２の底壁の内面へ突き当てられ、かつ、キーシート２０の面２０ｂ（シート基部６０の面６０ｂ）が、第１筐体２の上壁（図２において第１筐体２の上側の壁）の内面へ密接することによって、第１筐体２の内部において、キーシート２０が強固に固定される。
【００５２】
キーシート２０のスペーサ部７０は、図１０に示すように、第１筐体２から突出する。電子機器１００が折り畳まれた場合に、スペーサ部７０は、第２筐体４を支持し、第２筐体４とキーシート２０のキー部３０との間に隙間を設ける。スペーサ部７０では、曲げ剛性または軸剛性の小さいシート基部６０が、曲げ剛性および軸剛性がともに大きいベース板４０の第１の凸部４４を覆っているので、スペーサ部７０は、第２筐体４を傷つけず安定して支持し、第２筐体４とキーシート２０のキー部３０との間に隙間を設けることができる。
【００５３】
以上のように、本実施形態におけるキーシート２０は、スペーサ部７０により第２筐体４とキー部３０との間に隙間を設けることができる。したがって、キーシート２０は、第２筐体４とキーシート２０のキー部３０との間に隙間を設ける部材を必要とせず、部品点数、製造工程を削減して、キーシート２０と電子機器１００の製造コストを削減できる。
また、本実施形態におけるキーシート２０は、実施形態１のキーシート２０と同様に、キー部３０の大きさを大きくでき、キートップ３２がベース板４０に接触して生じる異音を防ぐことができる。さらに、本実施形態におけるキーシート２０は、静電気を接地して、電子機器１００の信頼性を向上できる。本実施形態におけるキーシート２０は、変位したキー部３０に対応する空間６６の空気を移動させ、ユーザからの入力を安定して受けることができる。
【００５４】
（実施形態３）
実施形態１、２においては、キーシート２０のキー部３０は、キートップ３２と接点部３４とを有するが、キー部３０は他の構成を有してもよい。
【００５５】
本実施形態における電子機器１００は、実施形態１の電子機器１００と同様に、第１筐体２と、第２筐体４と、ヒンジ部６とを備える。本実施形態において、第１筐体２と第２筐体４とヒンジ部６の構成と、キーシート２０のベース板４０と座屈部５０とシート基部６０の構成は、実施形態１における構成と同様である。
ここでは、本実施形態におけるキーシート２０のキー部３０について説明する。
【００５６】
本実施形態におけるキーシート２０のキー部３０は、図１３に示すように、キートップ３２と接点部３４と支持部３６とを有する。
【００５７】
本実施形態におけるキー部３０のキートップ３２は、実施形態１のキートップ３２と同様に、ＡＢＳ樹脂、アクリル樹脂、ポリカーボネート等から構成される。また、電子機器１００への入力に対応する文字、記号、機能を表す文字等が、キートップ３２の押圧される面に、印刷される。本実施形態におけるキートップ３２は、接点部３４からヒンジ部６側に延出する端部３７の基板１０に対向する面３７ａに、支持部３６を備える。
【００５８】
本実施形態におけるキー部３０の接点部３４は、実施形態１の接点部３４と同様に、座屈部５０とシート基部６０とに支持される。また、導電性膜が、接点部３４の面３４ａに設けられる。本実施形態における接点部３４の面３４ａは、図１３に示すように、キー部３０が変位していない状態において、ヒンジ部６側に向かって基板１０に近づくように、傾斜している。
【００５９】
キー部３０の支持部３６は、キートップ３２と同様に、ＡＢＳ樹脂、アクリル樹脂、ポリカーボネート等から構成される。支持部３６は、図１３、１４に示すように、キートップ３２の端部３７の基板１０に対向する面３７ａに設けられ、キートップ３２のヒンジ部６側の辺３８に沿って棒状に延びる。支持部３６は、キー部３０の端部３７において、シート基部６０との間に介在するように設けられ、かつ、支持部３６の少なくとも一部、または、全体が、キーシート２０を平面視した場合に、ベース板４０に重なる位置に位置するように設けられる。支持部３６は、図１５に示すように、端部３７とは反対側の端部３９が変位する場合に、シート基部６０に当接して、端部３７を支持する。この場合、支持部３６は、シート基部６０の下にベース板４０が存在する位置に当接する。換言すれば、この場合、支持部３６は、その少なくとも一部が、キーシート２０を平面視した場合にベース板４０に重なる位置において、支持部３６に対しキーシート２０が配置された側に対向配置された部材に当接する。
【００６０】
ここで、支持部３６とキー部３０の動作について、説明する。
キートップ３２がユーザによって押圧されると、キーシート２０の座屈部５０が撓み、キー部３０は変位を開始する。
【００６１】
キー部３０が変位すると、図１５に示すように、まず、シート基部６０から離間していた支持部３６が、シート基部６０に当接する。本実施形態では、支持部３６は、シート基部６０の下にベース板４０が存在する位置に当接する。
【００６２】
支持部３６がシート基部６０に当接すると、支持部３６は、棒状であり、キートップ３２のヒンジ部６側に延出する端部３７に設けられているので、支持部３６を支点としてキートップ３２と接点部３４とを回転させる一方向の力が、座屈部５０に掛かる。これにより、座屈部５０が均一に座屈していく。
【００６３】
座屈部５０が座屈していくと、図１６に示すように、キートップ３２の接点部３４からヒンジ部６側とは反対側に延出する端部３９が更に変位し、接点部３４の基板１０に対向する面３４ａが基板１０の接点に接触する。
【００６４】
本実施形態では、座屈部５０が均一に座屈していくので、座屈部５０が不均一に座屈することにより生じるダブルクリックを抑制できる。さらに、支持部３６がシート基部６０の下にベース板４０が存在する位置に当接するので、シート基部６０の下にベース板４０が存在しない位置に当接する場合に比べて、支持部３６の支点としての位置をより一層安定させることができ、ダブルクリックをより抑制できる。
【００６５】
換言すれば、支持部３６の少なくとも一部が、ベース板４０に重なる位置において、上述の対向配置された部材に当接するので、平面視して支持部３６全体がベース板４０に重ならないように上述の対向配置された部材に当接する場合に比べて、支持部３６の支点としての位置をより一層安定させることができ、ダブルクリックをより抑制できる。特に、支持部３６の全体が平面視してベース板４０に重なるように、上述の対向配置された部材に当接する場合に、得られる効果は大きいが、支持部３６の少なくとも一部がベース板４０に重なることが好ましい。
【００６６】
なお、本実施形態においては、上述の対向配置された部材はシート基部６０であったが、これに限らず、支持部３６とシート基部６０との間に、例えば、装飾のための別の層や部材、表面保護のための別の層や部材などが介在していてもよい。このような場合であっても、支持部３６の少なくとも一部が平面視してベース板４０に重なるように、支持部３６に対向配置された部材に当接することにより、支持部３６の支点としての位置をより一層安定させることができ、ダブルクリックをより抑制できるという、上述と同様の効果が得られる。
【００６７】
また、接点部３４の面３４ａが、キー部３０が変位していない状態において、ヒンジ部６側に向かって基板１０に近づくように傾斜しているので、接点部３４の面３４ａの傾斜方向と支持部３６を支点とする回転方向が一致し、座屈部５０をより均一に座屈させることができ、ダブルクリックを抑制できる。
【００６８】
以上のように、本実施形態におけるキーシート２０は、キートップ３２の端部３７の基板１０に対向する面３７ａに、支持部３６を備えるので、ダブルクリックを抑制できる。さらに、支持部３６が、シート基部６０の下にベース板４０が存在する位置に当接するので、支持部３６の支点としての位置を安定させることができ、ダブルクリックをより抑制できる。
接点部３４の面３４ａが、キー部３０が変位していない状態において、ヒンジ部６側に向かって基板１０に近づくように傾斜しているので、ダブルクリックを抑制できる。
【００６９】
また、本実施形態におけるキーシート２０は、実施形態１のキーシート２０と同様に、キー部３０の大きさを大きくでき、キートップ３２がベース板４０に接触して生じる異音を防ぐことができる。さらに、本実施形態におけるキーシート２０は、電子機器１００の信頼性を向上でき、ユーザからの入力を安定して受けることができる。
【００７０】
（実施形態４）
実施形態１〜３においては、シート基部６０がベース板４０を覆っているが、ベース板４０とシート基部６０は重なっていればよい。
【００７１】
本実施形態における電子機器１００は、実施形態１の電子機器１００と同様に、第１筐体２と、第２筐体４と、ヒンジ部６とを備える。本実施形態において、第１筐体２と第２筐体４とヒンジ部６の構成と、キー部３０と座屈部５０の構成は、実施形態１における構成と同様である。ここでは、本実施形態におけるキーシート２０のベース板４０とシート基部６０について説明する。
【００７２】
本実施形態において、ベース板４０の基板１０に対向する面４０ａは、図１７に示すように、シート基部６０と重なる。一方、ベース板４０の面４０ａとは反対側の面４０ｂは、シート基部６０に覆われていない。その他の構成は、実施形態１におけるベース板４０の構成と同様である。
【００７３】
本実施形態におけるシート基部６０は、ベース板４０の基板１０に対向する面４０ａと重なっている。また、シート基部６０は、ベース板４０の開口部４２の内周面に接している。シート基部６０の開口部４２に接している部分は、座屈部５０に接続している。その他の構成は、実施形態１におけるシート基部６０の構成と同様である。
【００７４】
ここで、ベース板４０とキートップ３２のヒンジ部６側とは反対側に延出する端部３９は、キーシート２０を平面視した場合に、重なるように配置されている。具体的には、キー部３０は、キートップ３２の端部３９がベース板４０と重なる位置に配置されている。これにより、図１８に示すように、キー部３０が変位した場合に、ユーザにキートップ３２の端部３９がベース板４０に当接する感覚を与えることができ、ユーザのクリック感が向上する。
【００７５】
本実施形態においては、ベース板４０の面４０ｂは、キーシート２０を平面視した場合にキートップ３２の端部３９と重なる部分４０ｃに、面４０ｂと端部３９との衝突音を抑える構造を有することが、好ましい。特に、ベース板４０は、キートップ３２の端部３９が当接する部分に、面４０ｂと端部３９との衝突音を抑える構造を有することが、好ましい。これらにより、キーシート２０が使用される場合に発生する異音を、抑制できる。衝突音を抑える構造は、例えば、シボ構造である。例えば、シボ加工が、ベース板４０の面４０ｂの端部３９と重なる部分４０ｃに施され、ベース板４０の面４０ｂの端部３９と重なる部分４０ｃがシボ面になっていることが、好ましい。
【００７６】
さらに、本実施形態においては、ベース板４０の面４０ｂは、キーシート２０を平面視した場合にキートップ３２と重ならない部分４０ｄに、表面の光沢を抑える構造を有することが、好ましい。これにより、キー部３０とキー部３０との間で生じるグレアを抑制できる。表面の光沢を抑える構造は、例えば、可視光を散乱する凹凸構造である。例えば、粗面化処理が、キートップ３２と重ならない部分４０ｄに施され、キートップ３２と重ならない部分４０ｄが可視光を拡散反射することが、好ましい。
【００７７】
以上のように、本実施形態では、シート基部６０がベース板４０の面４０ｂを覆っていないので、キーシート２０の厚みを薄くできる。また、ベース板４０の面４０ｂが、キートップ３２の端部３９と重なる部分４０ｃに、面４０ｂと端部３９との衝突音を抑える構造を有するので、異音を抑制できる。さらに、ベース板４０の面４０ｂが、キートップ３２と重ならない部分４０ｄに、表面の光沢を抑える構造を有するので、グレアを抑制できる。
【００７８】
以上、本発明の実施形態を説明したが、本発明は、本発明の要旨を逸脱しない範囲で種々の変更が可能である。
【００７９】
例えば、キーシート２０のキー部３０が、基板１０のスイッチを押圧することにより、基板１０の配線が導通し、電子機器１００への入力が受け付けられてもよい。
【００８０】
また、実施形態１〜４のベース板４０は、平面視した場合に、４辺によりキー部３０の接点部３４を囲むが、ベース板４０は、３辺、又は、対向する２辺により接点部３４を囲んでもよい。さらに、ベース板４０は、平面視した場合に、接点部３４の一部を囲んでもよい。
【００８１】
ベース板４０は、接点部３４と座屈部５０とシート基部６０を構成する弾性材料よりも、曲げ剛性が大きい材料から構成されるが、キーシート２０の軽量化と低コスト化の観点から、ポリカーボネート、ポリメタクリル酸メチル等の樹脂から構成されることが好ましい。また、キーシート２０の製造において、樹脂製のベース板４０は、ベース板４０の平面性を保つために、金属製のベース板４０よりも多くのサポートピンに支持されることが、望ましい。なお、ベース板４０の基板１０に対向する面４０ａは、ベース板４０のキー部３０とは反対側の面とも表される。ベース板４０の面４０ａとは反対側の面４０ｂは、ベース板４０のキー部３０側の面とも表される。
【００８２】
ベース板４０と基板１０が電気的に接続される場合、ベース板４０は、少なくとも表面に導電性を有していればよい。例えば、導電性膜が、樹脂から構成されたベース板４０の表面に、設けられていてもよい。
【００８３】
実施形態１〜４の溝部６４において、ベース板４０はシート基部６０に覆われているが、ベース板４０は、図１９に示すように、溝部６４の底として露出してもよい。また、金型のサポートピンにより形成される、シート基部６０の面６０ａの凹部において、ベース板４０が露出してもよい。なお、シート基部６０の基板１０に対向する面６０ａは、シート基部６０のキー部３０とは反対側の面とも表される。
【００８４】
実施形態１〜３においても、実施形態４と同様に、ベース板４０とキートップ３２の端部３９は、キーシート２０を平面視した場合に、重なるように配置されてもよい。
【００８５】
実施形態３において、支持部３６は、キー部３０が変位していない状態でシート基部６０から離間しているが、支持部３６は、キー部３０が変位していない状態でシート基部６０に当接してもよい。支持部３６は、棒状に限らず、複数の凸部から構成されてもよい。また、支持部３６は、キートップ３２と一体に形成されてもよい。さらに、接点部３４を座屈部５０からヒンジ部６側に延出させ、延出した部分に支持部３６を設けてもよい。
【００８６】
実施形態４において、ベース板４０の面４０ｂとキートップ３２の端部３９との衝突音を抑える構造は、シボ構造に限られない。例えば、ベース板４０の面４０ｂは、弾性膜（弾性膜構造）を備えてもよい。また、表面の光沢を抑える構造は、可視光を散乱する凹凸構造に限られない。例えば、ベース板４０の面４０ｂは、反射防止膜（反射防止構造）を備えてもよい。ベース板４０の面４０ｂは、黒化処理、塗装処理等により、可視光を吸収してもよい。
【００８７】
実施形態４において、キートップ３２は、実施形態３と同様に、端部３７に支持部３６を備えてもよい。この場合、ベース板４０は、支持部３６が当接する部分に、面４０ｂと支持部３６との衝突音を抑える構造を有してもよい。
【００８８】
キー部３０は、キートップ３２を備えなくともよい。キー部３０がキートップ３２を備えない場合、ヒンジ部６側に延出する端部とヒンジ部６側とは反対側に延出する端部の少なくとも一方が、キー部３０の接点部３４に形成されてもよい。また、キーシート２０を備える電子機器１００は、電子辞書に限らず、電卓、携帯電話機等であってもよい。
【００８９】
以上、本発明の好ましい実施形態について説明したが、本発明は係る特定の実施形態に限定されるものではなく、本発明には、特許請求の範囲に記載された発明とその均等の範囲が含まれる。以下に、本願出願の当初の特許請求の範囲に記載された発明を付記する。
【００９０】
（付記１）
押圧されて変位する、複数のキー部と、
前記キー部を支持するシート基部と、
前記シート基部に重なり、前記シート基部よりも剛性が大きいベース板と、を備える、
キーシート。
【００９１】
（付記２）
前記キー部は、当該キー部の一方の端部に、前記シート基部との間に介在し、前記ベース板に重なる位置に設けられた支持部を有し、
前記支持部は、前記キー部が変位すると、当該支持部の少なくとも一部が、前記シート基部のうちの前記ベース板に重なる位置に当接する、
付記１に記載のキーシート。
【００９２】
（付記３）
前記シート基部は、前記キー部とは反対側の面に、前記キー部が変位する空間を互いに接続する溝部を有し、
前記シート基部の前記溝部が設けられた部分において、前記ベース板の表面が前記シート基部により覆われている、
付記１又は２に記載のキーシート。
【００９３】
（付記４）
前記キーシートは、電子機器の基板の上に配置されるキーシートであって、
前記ベース板は、少なくとも表面に、導電性を有し、
前記シート基部は、前記電子機器の基板に対向する面に、前記ベース板が露出する開口部を有し、
前記開口部から露出した前記ベース板と前記電子機器の基板の電極が、電気的に接続される、
付記１から３のいずれか１つに記載のキーシート。
【００９４】
（付記５）
前記ベース板は、凸部を有し、
前記キーシートは、前記凸部が前記シート基部により覆われたスペーサ部を有する、
付記１から４のいずれか１つに記載のキーシート。
【００９５】
（付記６）
前記ベース板は、前記キー部側の面の少なくとも前記キー部と重ならない部分に、表面の光沢を抑える構造を有する、
付記１から５のいずれか１つに記載のキーシート。
【００９６】
（付記７）
前記キー部は、当該キー部の他方の端部が前記ベース板と重なる位置に、配置されている、
付記１から６のいずれか１つに記載のキーシート。
【００９７】
（付記８）
前記ベース板は、前記キー部側の面の前記キー部の前記他方の端部と重なる部分に、前記キー部の前記他方の端部との衝突音を抑える構造を有する、
付記７に記載のキーシート。
【００９８】
（付記９）
前記ベース板は、前記キー部の前記他方の端部が当接する部分に、前記キー部の前記他方の端部との衝突音を抑える構造を有する、
付記７に記載のキーシート。
【００９９】
（付記１０）
付記１から９のいずれか１つに記載のキーシートを備える、
電子機器。
【０１００】
（付記１１）
付記５に記載のキーシートを含む第１筐体と、
表示部を含む第２筐体と、
前記第１筐体と前記第２筐体とを連結するヒンジ部と、を備え、
前記第１筐体と前記第２筐体が重なった状態において、前記スペーサ部は、前記キー部と前記第２筐体との間に隙間を設ける、
電子機器。
【符号の説明】
【０１０１】
２・・・第１筐体、３・・・第１筐体の開口部、４・・・第２筐体、６・・・ヒンジ部、８・・・表示部、９・・・凸部材、１０・・・基板、２０・・・キーシート、２０ｂ・・・キーシートの基板に対向する面とは反対側の面、３０・・・キー部、３２・・・キートップ、３４・・・接点部、３４ａ・・・接点部の基板に対向する面、３６・・・支持部、３７・・・キートップの接点部からヒンジ部側に延出する端部、３７ａ・・・ヒンジ部側に延出する端部の基板に対向する面、３８・・・キートップのヒンジ部側の辺、３９・・・キートップの接点部からヒンジ部側とは反対側に延出する端部、４０・・・ベース板、４０ａ・・・ベース板の基板に対向する面、４０ｂ・・・ベース板の基板に対向する面とは反対側の面、４０ｃ・・・キートップの接点部からヒンジ部側とは反対側に延出する端部と重なる部分、４０ｄ・・・キートップと重ならない部分、４２・・・ベース板の開口部、４４・・・第１の凸部、４６，４７・・・貫通孔、５０・・・座屈部、６０・・・シート基部、６０ａ・・・シート基部の基板に対向する面、６２・・・シート基部の開口部、６４・・・溝部、６６・・・空間、６８，６９・・・貫通孔、７０・・・スペーサ部、７２・・・第２の凸部、１００・・・電子機器
【図１】
2019121594.tif 000003
【図２】
2019121594.tif 000004
【図３】
2019121594.tif 000005
【図４】
2019121594.tif 000006
【図５】
2019121594.tif 000007
【図６】
2019121594.tif 000008
【図７】
2019121594.tif 000009
【図８】
2019121594.tif 000010
【図９】
2019121594.tif 000011
【図１０】
2019121594.tif 000012
【図１１】
2019121594.tif 000013
【図１２】
2019121594.tif 000014
【図１３】
2019121594.tif 000015
【図１４】
2019121594.tif 000016
【図１５】
2019121594.tif 000017
【図１６】
2019121594.tif 000018
【図１７】
2019121594.tif 000019
【図１８】
2019121594.tif 000020
【図１９】
2019121594.tif 000021